(57)【要約】【課題】フロン冷媒を使用した自動販売機から二酸化炭素冷媒を使用した自動販売機への移行を容易且つ低コストに実現することのできる自動販売機を提供する。【解決手段】フロン冷媒用の既設の冷却ユニットを二酸化炭素冷媒用の新たな冷却ユニット４０に交換するようにしたので、フロン冷媒用の既設の冷却機器以外の構成部分を再利用することができ、二酸化炭素冷媒を使用した自動販売機への移行を容易且つ低コストに実現することができる。【選択図】図６
2007249537.tif 000002
【特許請求の範囲】
【請求項１】
前面を開口した自動販売機本体と、自動販売機本体内に設けられた商品収納庫と、自動販売機本体内に設けられた機械室と、商品収納庫内を冷却する冷却機器とを備え、一部の冷却機器を商品収納庫内に配置するとともに、他の冷却機器を有する冷却ユニットを機械室内に配置した自動販売機において、
フロン冷媒用の既設の冷却ユニットを二酸化炭素冷媒用の新たな冷却ユニットに交換してなる
ことを特徴とする自動販売機。
【請求項２】
前記既設の冷却ユニット用の制御データが記憶された記憶媒体を新たな冷却ユニット用の制御データが記憶された記憶媒体に交換してなる
ことを特徴とする請求項１記載の自動販売機。
【請求項３】
前記商品収納庫と機械室との間に設けられ、商品収納庫の底面を形成する底面部材を備え、
底面部材の前端に商品収納庫側の冷却機器と機械室側の冷却機器との間の冷媒配管を挿通するための切り欠き部を設けるとともに、
底面部材には、切り欠き部に対応する部分を除去することにより切り欠き部を形成可能な分離可能部を設けた
ことを特徴とする請求項１または２記載の自動販売機。
【請求項４】
前記機械室の底面板と冷却ユニットの基板に互いに連通する通気孔をそれぞれ設けるとともに、
機械室の通気孔を、互いに通気孔の位置が異なる既設の冷却ユニットと新たな冷却ユニットの通気孔にそれぞれ連通可能に形成した
ことを特徴とする請求項１、２または３記載の自動販売機。
【請求項５】
前記機械室内に冷却ユニットに幅方向に隣接するように配置され、冷却機器のドレン水を受容するドレンパンを備え、
機械室の底面板にはドレンパンを固定するための固定部を設けるとともに、固定部を底面板の幅方向複数箇所に設け、互いに幅方向の大きさが異なる既設の冷却ユニットと新たな冷却ユニットに応じてドレンパンを幅方向任意の位置の固定部に固定可能に構成した
ことを特徴とする請求項１、２、３または４記載の自動販売機。
【発明の詳細な説明】
【技術分野】
【０００１】
本発明は、例えば缶、ビンまたはペットボトル入り飲料等の商品を販売する自動販売機に関するものである。
【背景技術】
【０００２】
従来、この種の自動販売機としては、前面を開口した自動販売機本体と、自動販売機本体内に設けられた商品収納庫と、自動販売機本体内に設けられた機械室と、商品収納庫内を冷却する冷却機器とを備え、一部の冷却機器を商品収納庫内に配置するとともに、他の冷却機器を有する冷却ユニットを機械室内に配置したものが知られている（例えば、特許文献１参照。）。
【特許文献１】特開２００４−２７２５８７号公報
【発明の開示】
【発明が解決しようとする課題】
【０００３】
ところで、従来の自動販売機では、冷却機器の冷媒としてフロン冷媒が用いられているが、フロン冷媒の使用規制により、自然系冷媒である二酸化炭素冷媒の使用が望まれている。しかしながら、フロン冷媒を用いた冷却機器と二酸化炭素冷媒を用いた冷却機器では機器の構成や仕様が異なるため、フロン冷媒用の冷却機器を二酸化炭素冷媒用に使用することができず、自動販売機自体を交換しなければ二酸化炭素冷媒を使用した自動販売機への移行を実現することができなかった。
【０００４】
本発明は前記問題点に鑑みてなされたものであり、その目的とするところは、フロン冷媒を使用した自動販売機から二酸化炭素冷媒を使用した自動販売機への移行を容易且つ低コストに実現することのできる自動販売機を提供することにある。
【課題を解決するための手段】
【０００５】
本発明は前記目的を達成するために、前面を開口した自動販売機本体と、自動販売機本体内に設けられた商品収納庫と、自動販売機本体内に設けられた機械室と、商品収納庫内を冷却する冷却機器とを備え、一部の冷却機器を商品収納庫内に配置するとともに、他の冷却機器を有する冷却ユニットを機械室内に配置した自動販売機において、フロン冷媒用の既設の冷却ユニットを二酸化炭素冷媒用の新たな冷却ユニットに交換している。
【０００６】
これにより、フロン冷媒用の既設の冷却ユニットが二酸化炭素冷媒用の新たな冷却ユニットに交換されることから、既設のフロン冷媒用の冷却機器以外の構成部分を再利用することができる。
【発明の効果】
【０００７】
本発明の自動販売機によれば、既設のフロン冷媒用の冷却機器以外の構成部分を再利用することができるので、二酸化炭素冷媒を使用した自動販売機への移行を容易且つ低コストに実現することができる。
【発明を実施するための最良の形態】
【０００８】
図１乃至図１７は本発明の一実施形態を示すもので、図１は自動販売機の全体斜視図、図２は自動販売機の側面断面図、図３は既設の冷却ユニットを備えた自動販売機内の要部正面図、図４は新たな冷却ユニットを備えた自動販売機内の要部正面図、図５は既設の冷却ユニットを備えた自動販売機内の要部分解斜視図、図６は新たな冷却ユニットを備えた自動販売機内の要部分解斜視図、図７はスペーサの要部平面図、図８は既設の冷却ユニットを備えた自動販売機内の要部斜視図、図９は冷却ユニットの交換工程を示す自動販売機内の要部分解斜視図、図１０は新たな冷却ユニットを備えた自動販売機内の要部斜視図、図１１及び図１２は既設の冷却ユニットを備えた機械室の一部省略平面図、図１３及び図１４は新たな冷却ユニットを備えた機械室の一部省略平面図、図１５は制御系を示すブロック図、図１６は機械室の底面板と冷却ユニットの基板との係合工程を示す側面断面図、図１７は機械室の底面板とドレンパンとの係合工程を示す側面断面図である。
【０００９】
この自動販売機は、前面を開口した自動販売機本体１０と、自動販売機本体１０の前面開口部を開閉する外扉２０と、自動販売機本体１０内に設けられた断熱性の商品収納庫３０と、商品収納庫３０を冷却する冷却ユニット４０と、ドレン水を受容するドレンパン５０とを備えている。
【００１０】
自動販売機本体１０は前面を開口した断熱箱１１を有し、断熱箱１１内には商品収納庫３０が設けられている。自動販売機本体１０の下部には機械室１１が設けられ、機械室１１は商品収納庫３０の下方に配置されている。機械室１１の底面板１２には複数の通気孔１２ａが設けられ、各通気孔１２ａは互いに自動販売機本体１０の幅方向に間隔をおいて４つずつ前後方向二列に設けられている。また、底面板１２には、冷却ユニット４０を固定するための係止片１２ｂ及びネジ孔１２ｃが設けられ、係止片１２ｂは各通気孔１２ａの後方に配置され、ネジ孔１２ｃは各通気孔１２ａの前方に配置されている。この場合、係止片１２ｂは底面板１２の一部を切り起こして上端側を前方に屈曲してなり、ネジ孔１２ｃは自動販売機本体１０の幅方向二箇所に設けられている。また、底面板１２における各通気孔１２ａの幅方向両側には、ドレンパン５０を固定するための第１及び第２の固定孔１２ｄ，１２ｅがそれぞれ二箇所ずつ設けられ、第１及び第２の固定孔１２ｄ，１２ｅは互いに前後方向に間隔をおいて配置されている。更に、底面板１２の所定位置には、冷却ユニット４０の下面側と係合する位置決め用の突部１２ｆが設けられている。
【００１１】
外扉２０は幅方向一端側を自動販売機本体１０に回動自在に支持され、その前面には商品サンプル２１、商品選択スイッチ２２、硬貨投入口２３、紙幣投入口２４、硬貨返却口２５及び商品取出口２６が設けられている。
【００１２】
商品収納庫３０は前面を開閉する断熱性の内扉３１を有し、商品収納庫３０の内部には複数の商品収納コラム３２が収容されている。商品収納コラム３２は、例えばサーペンタイン式コラム、コンベア式コラム、スパイラル式コラム等、各種のコラムが用いられる。商品収納庫３０は複数の断熱性の仕切板３３によって幅方向に仕切られており、各仕切板３３によって商品収納庫３０内が図中左側から順に第１の収納室３０ａ、第２の収納室３０ｂ及び第３の収納室３０ｃに区画されている。
【００１３】
また、商品収納庫３０と機械室１１との間には、商品収納庫３０の底面を形成する底面部材３４が設けられている。底面部材３４は、商品収納庫３０の底面側に配置された金属製の底板３５と、機械室１１の上面側に配置された断熱板３６と、底板３５と断熱板３６との間に配置された合成樹脂製の板状のスペーサ３７とからなり、これら底板３５、断熱板３６及びスペーサ３７は互いに重ね合わされている。底面部材３４はその前端側に冷媒配管挿通用の複数の切り欠き部３８を有し、切り欠き部３８は第１の収納室３０ａ内の二箇所と、第２及び第３の収納室３０ｂ，３０ｃ内の一箇所ずつにそれぞれ設けられている。この場合、第１の収納室３０ａの一方の切り欠き部３８（図中右側）と第２の収納室３０ｂの切り欠き部３８は互いに仕切板３３を間に近接して配置されている。また、底面部材３４の断熱板３６及びスペーサ３７には、切り欠き部３８に対応する部分を除去することにより切り欠き部３８を形成可能な分離可能部３６ａ，３７ａが設けられ、各分離可能部３６ａ，３７ａは断熱板３６及びスペーサ３７に設けられたミシン目３６ｂ，３７ｂから分離可能に形成されている。更に、第１の収納室３０ａと第２の収納室３０ｂとの間の仕切板３３には、仕切板３３の一部（前端下部）を除去することにより冷媒配管挿通用の切り欠き部３９を形成可能な分離可能部３３ａが設けられ、分離可能部３３ａは仕切板３３に設けられたミシン目３３ｂから分離可能に形成されている。尚、仕切板３３及び底面部材３４の前端面には、それぞれ図示しないパッキンが取付けられる。
【００１４】
冷却ユニット４０は、商品収納庫３０内に配置される一部の冷却機器と、機械室１１内に配置される他の冷却機器とを有し、二酸化炭素冷媒を用いた冷凍装置によって構成されている。商品収納庫３０側に配置される冷却機器は各収納室３０ａ，３０ｂ，３０ｃ内にそれぞれ配置される複数の蒸発器４１からなり、各蒸発器４１の前面側には、蒸発器用ファン４１ａと、図示しない庫内加熱用のヒータ（一部の蒸発器４１のみ）が取付けられる。機械室１１側に配置される冷却機器は、圧縮機４２、ガスクーラ４３、ガスクーラ用ファンユニット４４、内部熱交換器４５及びその他の機器（膨張弁、アキュムレータ等）からなり、これらの冷却機器は基板４６上に取付けられている。圧縮機４２及びガスクーラ４３は冷媒配管４７を介して各蒸発器４１に接続され、圧縮機４２によって各蒸発器４１及びガスクーラ４３に冷媒が循環するようになっている。基板４６には複数の通気孔４６ａが設けられ、各通気孔４６ａは互いに自動販売機本体１０の幅方向に間隔をおいて前後方向二列に設けられている。この場合、前列側の通気孔４６ａは４つ設けられ、互いに幅方向の間隔が機械室１１の通気孔１２ａの幅方向の間隔と一致するように設けられている。また、後列側の通気孔４６ａは前列側の幅方向両端の通気孔４６ａと前後方向に対応する位置に２つ設けられ、前列側の通気孔４６ａとの間隔が機械室１１の通気孔１２ａの前後方向の間隔と一致するように設けられている。更に、基板４６の前端側にはネジ挿通用の孔４６ｂが設けられるとともに、その側方には底面板１２の突部１２ｆに係合可能な係合孔４６ｃが下方に向かって突設されている。また、基板４６の下面には前後方向に延びる複数の低摩擦部材４８が取付けられ、低摩擦部材４８はポリエチレン等、機械室１１の底面板１２との摩擦抵抗を減少させる部材によって形成されている。
【００１５】
ドレンパン５０は上面を開口するとともに、前後方向に長く形成され、その内部にはドレン水を吸収して蒸発させる蒸発部材５１が設けられている。ドレンパン５０は機械室１１内に配置され、各蒸発器４１で発生するドレン水を図示しないドレン配管を介して受容するようになっている。蒸発部材５１は板状の吸水性部材（例えば、ポリエステル繊維）を波形に屈曲してなり、ドレンパン５０内に溜まったドレン水を吸収するとともに、機械室１１内を流通する空気によってドレン水を蒸発させるようになっている。ドレンパン５０の後端側は底面板１２の第２の固定孔１２ｅに係合する保持部材５２によって保持され、ドレンパン５０の前端側の下面には底面板１２の第１の固定孔１２ｄに係合する係合部５０ａが突設されている。保持部材５２の上端側にはドレンパン５０の後端側開口縁に上方から係合するＬ字状の第１の係合部５２ａが設けられ、保持部材５２の下端側にはドレンパン５０の下面に下方から係合するＬ字状の第２の係合部５２ｂが設けられている。また、第２の係合部５２ｂの下面には第２の固定孔１２ｅに係合するＬ字状の第３の係合部５２ｃが設けられている。
【００１６】
本実施形態の自動販売機は、図５に示すように自動販売機からフロン冷媒用の既設の冷却ユニット６０を取出し、図６に示すように二酸化炭素冷媒用の新たな冷却ユニット４０に交換することにより構成される。
【００１７】
フロン冷媒用の既設の冷却ユニット６０は、複数の蒸発器６１、圧縮機６２、凝縮器６３（二酸化炭素冷媒用の冷却ユニット４０のガスクーラ４３に相当）、凝縮器用ファンユニット６４及びその他の機器（膨張弁、アキュムレータ等）からなり、これらの冷却機器は基板６５上に取付けられている。また、圧縮機６２及び凝縮器６３は冷媒配管６６を介して各蒸発器６１に接続され、圧縮機６２によって各蒸発器６１及び凝縮器６３に冷媒が循環するようになっている。基板６５には複数の通気孔６５ａが設けられ、各通気孔６５ａは互いに自動販売機本体１０の幅方向に間隔をおいて３つずつ前後方向二列に設けられている。この場合、各通気孔６５ａは幅方向及び前後方向の間隔が機械室１１の通気孔１２ａの間隔と一致するように設けられている。また、基板６５の前端側にはネジ挿通用の孔６５ｂが設けられるとともに、その側方には底面板１２の係合孔１２ｆに係合する突部６５ｃが設けられている。更に、基板６５の下面には前後方向に延びる複数の低摩擦部材６７が取付けられ、低摩擦部材６７はポリエチレン等、機械室１１の底面板１２との摩擦抵抗を減少させる部材によって形成されている。
【００１８】
即ち、既設の冷却ユニット６０は、基板６５の後端側を底面板１２の係止片１２ｂに係止するとともに、前端側を底面板１２のネジ孔１２ｃに螺合するネジ６８によって締結することにより、図１１に示すように底面板１２に固定されている。この場合、冷却ユニット６０の各通気孔６５ａが機械室１１の各通気孔１２ａの一部（前後各列の３つずつ）に連通し、冷却ユニット６０の廃熱が基板６５の各通気孔６５ａ及びこれに連通する機械室１１の通気孔１２ａを介して機械室１１の外部に排出される。また、ドレンパン５０は既設の冷却ユニット６０の幅方向一方（図中右側）に配置されている。
【００１９】
また、前記自動販売機は、冷却機器を制御する制御部７０と、制御部７０に接続されたカードリーダ７１とを備え、カードリーダ７１は記憶媒体としてのメモリカード７２に記憶された制御データ（例えば、圧縮機制御用の各種設定値等）を読み取るようになっている。即ち、メモリカード７２は既設の冷却ユニット６０を制御するためのフロン冷媒用の制御データを記憶しており、カードリーダ７１のカード挿入部（図示せず）に挿入されている。
【００２０】
ここで、前記既設の冷却ユニット６０を新たな冷却ユニット４０に交換する場合は、既設の冷却ユニット６０を自動販売機本体１０の外部に取出し、図８に示すように冷却ユニット６０の冷媒配管６６を切り欠き部３８から抜き取る。次に、図９に示すように底面部材３４の分離可能部３６ａ，３７ａをミシン目３６ｂ，３７ｂから分離して除去することより切り欠き部３８を形成するとともに、第１の収納室３０ａと第２の収納室３０ｂとの間の仕切板３３の分離可能部３３ａをミシン目３３ｂから分離して除去することより切り欠き部３９を形成する。この後、新たな冷却ユニット４０を自動販売機本体１０内に設置するとともに、図１０に示すように新たな冷却ユニット４０の冷媒配管４７を第１の収納室３０ａの一方の切り欠き部３８、第２の収納室３０ｂの切り欠き部３８及び第３の収納室３０ｃの切り欠き部３８にそれぞれ挿入する。ここで、第２の収納室３０ｂ内の蒸発器４１の冷媒配管４７は、第１の収納室３０ａの一方の切り欠き部３８内を挿通するように立ち上がるとともに、第２の収納室３０ｂ側に屈曲して仕切板３３の切り欠き部３９を商品収納庫３０の幅方向に挿通し、第２の収納室３０ｂの後方に向かって屈曲している。この場合、第２の収納室３０ｂの切り欠き部３８は使用しなくなるため、底面部材３４から分離した分離可能部３６ａ，３７ａを接着剤等で第２の収納室３０ｂの切り欠き部３８に固着すれば、第２の収納室３０ｂの切り欠き部３８を閉塞することができる。尚、分離可能部３６ａ，３７ａを用いずに、新たな断熱材等の他の部材によって切り欠き部３８を閉塞することも可能である。
【００２１】
また、前記各冷却ユニット４０，６０の交換に際しては、既設の冷却ユニット６０のネジ６８を外し、図１２に示すように冷却ユニット６０（基板６５のみ図示）を自動販売機本体１０の前方に引き出す。次に、図１３に示すように新たな冷却ユニット４０（基板４６のみ図示）を自動販売機本体１０内に挿入し、基板４６の後端側を底面板１２の係止片１２ｂに係止するとともに、図１５(a)(b)に示すように底面板１２の突部１２ｆを冷却ユニット４０の係合孔４６ｃに係合することにより基板４６を位置決めする。続いて、基板４６の前端側を底面板１２のネジ孔１２ｃに螺合するネジ４９によって締結することにより、図１４に示すように冷却ユニット４０が底面板１２に固定され、冷却ユニット４０の各通気孔４６ａが機械室１１の各通気孔１２ａの一部（前列の４つ及び後列の２つ）に連通する。新たな冷却ユニット４０の幅方向の寸法Ｌ1 は既設の冷却ユニット６０の幅方向の寸法Ｌ2 はよりも幅方向一方（図中右側）に大きく形成されており、ドレンパン５０は新たな冷却ユニット６０の幅方向他方（図中左側）に配置される。この場合、図１７(a) に示すようにドレンパン５０の後端側開口縁に保持部材５２の第１の係合部５２ａを係合するとともに、ドレンパン５０の後端側下面に保持部材５２の第２の係合部５２ｂを係合し、更に保持部材５２の第３の係合部５２ｃを底面板１２の第２の固定孔１２ｅに係合した後、ドレンパン５０の係合部５０ａを底面板１２の第１の固定孔１２ｄに係合することにより、図１７(b) に示すようにドレンパン５０が底面板１２に固定される。
【００２２】
更に、前記各冷却ユニット４０，６０の交換に際しては、図１６に示すようにカードリーダ７１のカード挿入部から既設の冷却ユニット６０用のメモリカード７２を取出し、新たな冷却ユニット４０用のメモリカード７３（二酸化炭素冷媒用の制御データを記憶したもの）をカード挿入部に挿入することにより、新たなメモリカード７３から二酸化炭素冷媒用の制御データが読み込まれる。
【００２３】
このように、本実施形態の自動販売機によれば、フロン冷媒用の既設の冷却ユニット６０を二酸化炭素冷媒用の新たな冷却ユニット４０に交換するようにしたので、フロン冷媒用の既設の冷却機器以外の構成部分を再利用することができ、二酸化炭素冷媒を使用した自動販売機への移行を容易且つ低コストに実現することができる。
【００２４】
また、既設の冷却ユニット６０用の制御データが記憶されたメモリカード７２を新たな冷却ユニット４０用の制御データが記憶されたメモリカード７３に交換するようにしたので、制御データの変更を容易に行うことができる。
【００２５】
更に、商品収納庫３０の底面を形成する底面部材３４に、冷媒配管挿通用の切り欠き部３８に対応する部分を除去することにより切り欠き部３８を形成可能な分離可能部３６ａ，３７ａを設け、既存の冷却ユニット６０を新たな冷却ユニット４０に交換する際、底面部材３４から分離可能部３６ａ，３７ａを除去することにより、新たな冷却ユニット４０の一部の冷媒配管４７を挿通する切り欠き部３８を形成するようにしたので、機械室１１側から商品収納庫３０側へ立ち上がる冷媒配管４７の位置が既設の冷却ユニット６０の冷媒配管６６と異なる場合でも、既設の冷却機器６０を新たな冷却ユニット４０に容易に交換することができる。
【００２６】
また、互いに隣り合う第１及び第２の収納室３０ａ，３０ｂ間の仕切板３３に、仕切板３３の一部を除去することにより冷媒配管挿通用の切り欠き部３９を形成可能な分離可能部３３ａを設け、既設の冷却ユニット６０を新たな冷却ユニット４０に交換する際、仕切板３３から分離可能部３３ａを除去することにより、新たな冷却ユニット４０の一部の冷媒配管４７を商品収納庫３０の幅方向に挿通する切り欠き部３９を形成するようにしたので、第２の収納室３０ｂ用の冷媒配管４７が第１の収納室３０ａ内に立ち上がる場合でも、第２の収納室３０ｂ側に屈曲する冷媒配管４７を仕切板３３の切り欠き部３９に挿通させることができ、新たな冷却ユニット４０の仕様に幅広く対応することができる。
【００２７】
更に、底面部材３４及び仕切板３３の分離可能部３６ａ，３７ａ，３３ａをミシン目３６ｂ，３７ｂ，３３ｂから分離可能に形成したので、切断用の工具を別途用いることなく分離可能部３６ａ，３７ａ，３３ａを容易に分離させることができ、作業性の向上を図ることができる。
【００２８】
尚、前記実施形態では、新たな冷却ユニット４０の一部の冷媒配管４７が第１の収納室３０ａの一方の切り欠き部３８及び仕切板３３の切り欠き部３９を挿通するようにしたものを示したが、新たな冷却ユニットの冷媒配管が既設の冷却ユニットの冷媒配管と同一の収納室の異なる位置に立ち上がる場合には、仕切板３３の切り欠き部３９を形成する必要はない。
【００２９】
また、機械室１１の通気孔１２ａを複数種類の冷却ユニット４０，６０の通気孔４６ａ，６５ａにそれぞれ連通可能に形成したので、既設の冷却ユニット６０を新たな冷却ユニット４０に交換する際、新たな冷却ユニット４０の通気孔４６ａの位置が既設の冷却ユニット６０の通気孔６５ａの位置と異なる場合でも、既設の冷却ユニット６０を新たな冷却ユニット４０に容易に交換することができる。これにより、新たな冷却ユニット４０においても機械室１１の通気孔１２ａを介して熱排気を良好に行うことができ、冷却ユニット４０の冷却効率の低下を確実に防止することができる。
【００３０】
また、機械室１１の通気孔１２ａを各冷却ユニット４０，６０の通気孔４６ａ，６５ａにそれぞれ対応可能な数だけ自動販売機本体１０の幅方向に間隔をおいて設けたので、機械室１１の通気孔１２ａを必要最小限に形成することができる。
【００３１】
更に、機械室１１の底面板１２または各冷却ユニット４０，６０の基板４６，６５に、底面板１２との摩擦抵抗を減少させる低摩擦部材４８，６７を設けたので、各冷却ユニット４０，６０を機械室１１に対して出し入れする際、低摩擦部材４８，６７によって各冷却ユニット４０，６０と機械室１１の底面板１２との摺動抵抗を少なくすることができ、各冷却ユニット４０，６０の交換作業を容易に行うことができる。
【００３２】
また、各冷却ユニット４０，６０の基板４６，６５に設けた係合孔４６ｃ，６５ｃと底面板１２に設けた係合部としての突部１２ｆとを各冷却ユニット４０，６０の所定の設置位置で互いに係合するようにしたので、各冷却ユニット４０，６０を機械室１１の底面板１２に対して容易に位置決めすることができ、各冷却ユニット４０，６０の設置作業を円滑に行うことができる。
【００３３】
尚、前記実施形態では、機械室１１の通気孔１２ａを各冷却ユニット４０，６０の通気孔４６ａ，６５ａにそれぞれ対応可能な数だけ設けたものを示したが、例えば機械室１１の底面板１２に各冷却ユニット４０，６０の通気孔４６ａ，６５ａよりも大きい通気孔を設け、複数の通気孔４６ａ，６５ａに連通するようにしてもよい。
【００３４】
また、ドレンパン５０を固定するための第１及び第２の固定孔１２ｄ，１２ｅを底面板１２の幅方向二箇所に設け、既設の冷却ユニット６０の場合はドレンパン５０を幅方向一方の第１及び第２の固定孔１２ｄ，１２ｅに固定し、新たな冷却ユニット４０の場合はドレンパン５０を幅方向他方の第１及び第２の固定孔１２ｄ，１２ｅに固定するようにしたので、既設の冷却ユニット６０を幅方向の大きさが異なる新たな冷却ユニット４０に交換する場合でも、ドレンパン５０を冷却ユニット４０の幅方向の大きさに応じた位置に固定することができ、既設の冷却ユニット６０を新たな冷却ユニット４０に容易に交換することができる。
【００３５】
この場合、第１及び第２の固定孔１２ｄ，１２ｅを冷却ユニット４０，６０の幅方向両側にそれぞれ設けたので、新たな冷却ユニット４０と機械室１１の一側面との間にドレンパン５０を配置するスペースがない場合でも、その反対側にドレンパン５０を配置することができ、幅寸法の大きい二酸化炭素冷媒用の冷却ユニット４０に確実に対応することができる。
【００３６】
また、幅方向各位置の第１及び第２の固定孔１２ｄ，１２ｅを前後方向に間隔をおいて二つずつ設けたので、第１及び第２の固定孔１２ｄ，１２ｅによってドレンパン５０の前端側及び後端側の幅方向の移動をそれぞれ規制することができ、ドレンパン５０を位置ずれを生ずることなく確実に固定することができる。
【００３７】
更に、ドレンパン５０の後端側を保持する保持部材５２を備え、保持部材５２には、ドレンパン５０に上方から係合する第１の係合部５２ａと、ドレンパン５０に下方から係合する第２の係合部５２ｂとを設けたので、保持部材５２の第１及び第２の係合部５２ａ，５２ｂによってドレンパン５０の後端側における上下方向の移動を規制することができ、ドレンパン５０をより確実に固定することができる。
【００３８】
尚、前記実施形態では、第１及び第２の固定孔１２ｄ，１２ｅを冷却ユニット４０，６０の幅方向両側にそれぞれ一箇所ずつ設けたものを示したが、これ以外の箇所にも設けるようにしてもよく、冷却ユニット４０，６０の幅方向一方のみの複数箇所に設けるようにしてもよい。
【００３９】
また、新たな冷却ユニット４０としては二酸化炭素冷媒用のものに限られず、例えば他の種類の代替フロン冷媒を用いた冷却機器に交換する場合や、同一種類の冷媒を用いていても冷却能力が異なる冷却機器に交換する場合にも本発明を適用することができる。
【００４０】
更に、前記実施形態では、分離可能部３６ａ，３７ａ，３３ａをミシン目３６ｂ，３７ｂ，３３ｂから分離させるようにしたものを示したが、図１８乃至図２３の変形例に示すように他の構造により分離させるようにしてもよい。
【００４１】
即ち、図１８及び図１９に示す第１の変形例は、底面部材３４及び仕切板３３に分離可能部３６ａ，３７ａ，３３ａに沿った切断部３６ｃ，３７ｃ，３３ｃを設けるとともに、分離可能部３６ａ，３７ａ，３３ａと切断部３６ｃ，３７ｃ，３３ｃとを両面粘着テープ３６ｄ，３７ｄ，３３ｄによって貼り付けておき、両面粘着テープ３６ｄ，３７ｄ，３３ｄから剥離することにより、分離可能部３６ａ，３７ａ，３３ａを分離させるようにしたものである。
【００４２】
また、図２０及び図２１に示す第２の変形例は、前記切断部３６ｃ，３７ｃ，３３ｃの端面に互いに嵌合する凹部３６ｅ，３７ｅ，３３ｅと凸部３６ｆ，３７ｆ，３３ｆを設け、凹部３６ｅ，３７ｅ，３３ｅと凸部３６ｆ，３７ｆ，３３ｆとの嵌合により、分離可能部３６ａ，３７ａ，３３ａを固定するようにしたものである。
【００４３】
更に、図２２及び図２３に示す第３の変形例は、底面部材３４及び仕切板３３に分離可能部３６ａ，３７ａ，３３ａに沿った溝３６ｇ，３７ｇ，３３ｇを設け、分離可能部３６ａ，３７ａ，３３ａを溝３６ｇ，３７ｇ，３３ｇから破断することにより、分離可能部３６ａ，３７ａ，３３ａを分離させるようにしたものである。
【図面の簡単な説明】
【００４４】
【図１】本発明の一実施形態を示す自動販売機の全体斜視図
【図２】自動販売機の側面断面図
【図３】既設の冷却ユニットを備えた自動販売機内の要部正面図
【図４】新たな冷却ユニットを備えた自動販売機内の要部正面図
【図５】既設の冷却ユニットを備えた自動販売機内の要部分解斜視図
【図６】新たな冷却ユニットを備えた自動販売機内の要部分解斜視図
【図７】スペーサの要部平面図
【図８】既設の冷却ユニットを備えた自動販売機内の要部斜視図
【図９】冷却ユニットの交換工程を示す自動販売機内の要部分解斜視図
【図１０】新たな冷却ユニットを備えた自動販売機内の要部斜視図
【図１１】既設の冷却ユニットを備えた機械室の一部省略平面図
【図１２】既設の冷却ユニットを備えた機械室の一部省略平面図
【図１３】新たな冷却ユニットを備えた機械室の一部省略平面図
【図１４】新たな冷却ユニットを備えた機械室の一部省略平面図
【図１５】機械室の底面板と冷却ユニットの基板との係合工程を示す側面断面図
【図１６】制御系を示すブロック図
【図１７】機械室の底面板とドレンパンとの係合工程を示す側面断面図
【図１８】第１の変形例を示す自動販売機内の要部分解斜視図
【図１９】第１の変形例を示す自動販売機内の要部分解斜視図
【図２０】第２の変形例を示す自動販売機内の要部分解斜視図
【図２１】第２の変形例を示す自動販売機内の要部分解斜視図
【図２２】第３の変形例を示す自動販売機内の要部分解斜視図
【図２３】第３の変形例を示す自動販売機内の要部分解斜視図
【符号の説明】
【００４５】
１０…自動販売機本体、１１…機械室、１２…底面板、１２ａ…通気孔、１２ｄ…第１の固定孔、１２ｅ…第２の固定孔、１２ｆ…突部、３０…商品収納庫、３３…仕切板、３３ａ…分離可能部、３３ｂ…ミシン目、３３ｃ…切断部、３６ｄ，３３ｄ…両面粘着テープ、３３ｅ…凹部、３３ｆ…凸部、３３ｇ…溝、３４…底面部材、３６ａ，３７ａ…分離可能部、３６ｂ，３７ｂ…ミシン目、３６ｃ，３７ｃ…切断部、３６ｄ，３７ｄ…両面粘着テープ、３６ｅ，３７ｅ…凹部、３６ｆ，３７ｆ…凸部、３６ｇ，３７ｇ…溝、３８，３９…切り欠き部、４０…冷却ユニット、４６…基板、４６ａ…通気孔、４６ｃ…係合孔、４７…冷媒配管、４９…低摩擦部材、５０…ドレンパン、５２…保持部材、５２ａ…第１の係合部、５２ｂ…第２の係合部、６０…冷却ユニット、６５…基板、６５ａ…通気孔、６５ｃ…係合孔、６６…冷媒配管、６８…低摩擦部材、７２，７３…メモリカード。
【図１】
2007249537.tif 000003
【図２】
2007249537.tif 000004
【図３】
2007249537.tif 000005
【図４】
2007249537.tif 000006
【図５】
2007249537.tif 000007
【図６】
2007249537.tif 000008
【図７】
2007249537.tif 000009
【図８】
2007249537.tif 000010
【図９】
2007249537.tif 000011
【図１０】
2007249537.tif 000012
【図１１】
2007249537.tif 000013
【図１２】
2007249537.tif 000014
【図１３】
2007249537.tif 000015
【図１４】
2007249537.tif 000016
【図１５】
2007249537.tif 000017
【図１６】
2007249537.tif 000018
【図１７】
2007249537.tif 000019
【図１８】
2007249537.tif 000020
【図１９】
2007249537.tif 000021
【図２０】
2007249537.tif 000022
【図２１】
2007249537.tif 000023
【図２２】
2007249537.tif 000024
【図２３】
2007249537.tif 000025